(57)【要約】【課題】コストを低減しつつ筒車の文字板側への移動を適切に規制すること。【解決手段】電子時計１は、透光性を備えた文字板２と、文字板２の裏面２Ｂ側に配置された太陽電池６と、太陽電池６の裏面側に配置された、太陽電池６を支持する太陽電池案内板７と、文字板２、太陽電池６および太陽電池案内板７を貫通する貫通孔に挿入された軸部１０Ｂ、および、太陽電池案内板７の裏面側に配置された歯車部１０Ａを備えた筒車１０と、を有し、太陽電池案内板７における貫通孔の周囲に位置する周縁部の少なくとも一部は、屈曲して歯車部１０Ａに近づく方向に突出する突出部７１を構成し、歯車部１０Ａが文字板２に近づく方向への筒車１０の移動が突出部７１によって規制される。【選択図】図２
2014119342.tif 000002
【特許請求の範囲】
【請求項１】
透光性を備えた文字板と、
前記文字板の裏面側に配置された太陽電池と、
前記太陽電池の裏面側に配置され、前記太陽電池を支持する太陽電池案内板と、
前記文字板、前記太陽電池および前記太陽電池案内板を貫通する貫通孔に挿入された軸部、および、前記太陽電池案内板の裏面側に配置された歯車部を備えた筒車と、を有し、
前記太陽電池案内板における前記貫通孔の周囲に位置する周縁部の少なくとも一部は、屈曲して前記歯車部に近づく方向に突出する突出部を構成し、前記歯車部が前記文字板に近づく方向への前記筒車の移動が前記突出部によって規制される
ことを特徴とする電子時計。
【請求項２】
請求項１に記載の電子時計において、
前記太陽電池案内板の裏面側に配置され、前記筒車の前記歯車部を収容する凹部を備えた地板を有し、
前記突出部は、前記太陽電池案内板の裏面から離れる方向に屈曲した屈曲部と、前記屈曲部に連続し、前記地板の表面に当接するとともに、端部が前記歯車部の表面上に位置している押さえ部とを備えている
ことを特徴とする電子時計。
【請求項３】
請求項１に記載の電子時計において、
前記太陽電池案内板の裏面側に配置され、前記筒車の前記歯車部を収容する凹部を備えた地板を有し、
前記突出部は、前記凹部内に位置する
ことを特徴とする電子時計。
【請求項４】
請求項１に記載の電子時計において、
前記筒車の軸方向に沿った移動を許容する隙間の寸法を規制する隙間寸法規制部を備え、
前記突出部は、前記歯車部が前記文字板に近づく方向への許容された範囲を超えた前記筒車の移動を規制する
ことを特徴とする電子時計。
【請求項５】
請求項１に記載の電子時計において、
前記突出部は、前記筒車を前記太陽電池案内板から遠ざかる方向に付勢する付勢部を有している
ことを特徴とする電子時計。
【請求項６】
請求項５に記載の電子時計において、
前記突出部の前記付勢部を含む少なくとも一部は、前記筒車の回転順方向に沿って延出している
ことを特徴とする電子時計。
【請求項７】
請求項５または請求項６に記載の電子時計において、
前記太陽電池案内板には、前記突出部が２つ設けられ、
２つの前記突出部の前記付勢部は、前記筒車の回転軸を挟んで対向する位置をそれぞれ付勢している
ことを特徴とする電子時計。
【発明の詳細な説明】
【技術分野】
【０００１】
本発明は、太陽電池を有する電子時計に関する。
【背景技術】
【０００２】
文字板の裏面側に太陽電池（ソーラーセル）が配置され、この太陽電池によって発生した電力を用いて駆動する電子時計がある。電子時計に配置される太陽電池としては、フィルム状のものがある。このフィルム状の太陽電池は、太陽電池の裏面に固定された、例えば、ステンレス鋼を材料とする太陽電池案内板によって支持されている。そして、この電子時計では、時針を支持する筒車が、文字板、太陽電池、および、太陽電池案内板を貫通する貫通孔に挿入されている。
【０００３】
このような電子時計のうち、主にカレンダー構造を持たない電子時計においては、太陽電池によって筒車の軸方向に沿った移動を許容する隙間（あがき）の寸法を決めている構成のものがある（例えば、特許文献１参照）。
また、主にカレンダー構造を持つ電子時計において、日車押さえ、カレンダー押さえ、筒車押さえ等によって筒車のあがきの寸法を決めている構成のものがある（例えば、特許文献２参照）。
また、電子時計によっては、運針中の指針のふらつきを防止するため、針座を用いて筒車を地板側に付勢する場合がある。
【先行技術文献】
【特許文献】
【０００４】
【特許文献１】特開２０００−２９２５６９号公報
【特許文献２】特開２０１２−８８１８４号公報
【発明の概要】
【発明が解決しようとする課題】
【０００５】
しかしながら、筒車のあがきの寸法を太陽電池で決めている構成においては、太陽電池や太陽電池案内板の反りや厚さのばらつきにより、筒車のあがきの寸法が大きくなることがあり、落下等の衝撃時に筒車と日の裏車との係合が外れやすくなる課題がある。
また、筒車のあがきの寸法を日車押さえ等によって決めている構成において、文字板を押えながら時針を引き抜く際に筒車が引き上げられ、日車押さえ等の筒車のあがきの寸法を決めている部材の保持部が破損したり（例えば日車押さえを地板のフック部で保持している場合、筒車の引き上げで日車押さえが持ち上げられ、地板のフック部が破損する等）、日車押さえ等の部材そのものが変形したりする（例えば日車押さえが地板にねじ締めで保持されている場合など、筒車の引き上げにより日車押さえが変形する等）ことを防ぐために、例えば筒車座（図６参照）を組み込む必要があった。
【０００６】
本発明の目的は、コストを低減しつつ筒車の文字板側への移動を適切に規制できる電子時計を提供することにある。
【課題を解決するための手段】
【０００７】
本発明の電子時計は、透光性を備えた文字板と、前記文字板の裏面側に配置された太陽電池と、前記太陽電池の裏面側に配置され、前記太陽電池を支持する太陽電池案内板と、前記文字板、前記太陽電池および前記太陽電池案内板を貫通する貫通孔に挿入された軸部、および、前記太陽電池案内板の裏面側に配置された歯車部を備えた筒車と、を有し、前記太陽電池案内板における前記貫通孔の周囲に位置する周縁部の少なくとも一部は、屈曲して前記歯車部に近づく方向に突出する突出部を構成し、前記歯車部が前記文字板に近づく方向への前記筒車の移動が前記突出部によって規制されることを特徴とする。
【０００８】
本発明によれば、前記太陽電池案内板の前記貫通孔の周囲つまり前記貫通孔に沿った前記周縁部の少なくとも一部が、前記歯車部に近づく方向に突出して前記突出部を構成しているため、前記突出部がない場合と比べて、前記筒車と前記太陽電池案内板との間隔（前記筒車の前記軸部の軸方向に沿った寸法）を狭くすることができる。このため、前記太陽電池および前記太陽電池案内板の反りや厚さの製造ばらつきが発生した場合でも、その影響を軽減でき、前記筒車の文字板側への移動を適切に規制できる。
例えば、筒車の軸方向に沿った移動を許容する隙間（あがき）の寸法を、前記太陽電池案内板で規制する場合、前記太陽電池および前記太陽電池案内板の反りや厚さのばらつきを考慮して前記突出部の長さ寸法や屈曲角度を設計することで、前記あがきの寸法が、例えば、前記筒車と日の裏車との係合量よりも広がることを抑制できる。これにより、前記歯車部が前記文字板に近づく方向へ前記筒車が大きく移動して、前記筒車と日の裏車との係合が外れることを抑制できる。
また、前記歯車部に近づく方向に突出した前記突出部が設けられているため、例えば、前記筒車のあがきの寸法を日車押さえで規制する場合、修理の際等の時針引き抜きによる前記筒車の引き上げ時の力を前記突出部で受けることができる。このため、前記筒車の引き上げ時に、日車押さえの変形や日車押さえの保持部の破損を防止できる。
また、前記突出部にばね性を持たせることで、前記突出部を前記筒車を付勢する針座として機能させることができる。
これらの効果は、新たに部品を追加することなく前記太陽電池案内板に前記突出部を設けるのみで得られるため、部品点数を少なくでき、組立コストも低減できる。
【０００９】
また、本発明によれば、前記突出部は前記太陽電池案内板における前記周縁部の少なくとも一部を屈曲して形成されているため、前記太陽電池案内板に、例えば、絞り加工や曲げ加工等の簡単な加工を施すことで、前記突出部を形成できる。これにより、製造コストを低減できる。
【００１０】
本発明の電子時計において、前記太陽電池案内板の裏面側に配置され、前記筒車の前記歯車部を収容する凹部を備えた地板を有し、前記突出部は、前記太陽電池案内板の裏面から離れる方向に屈曲した屈曲部と、前記屈曲部に連続し、前記地板の表面に当接するとともに、端部が前記歯車部の表面上に位置している板状の押さえ部とを備えていることが好ましい。
【００１１】
本発明によれば、前記筒車が前記文字板に近づく方向に移動すると、前記歯車部が前記押さえ部の裏面に直接あるいは針座等の部品を介して突き当たる。このため、前記筒車の前記文字板に近づく方向への移動は、前記歯車部の表面と前記地板の表面とが同じ平面上となる位置で規制される。これにより、前記筒車のあがきの寸法を、前記凹部の深さ（段差寸法）および前記歯車部の厚みのみで設定できる。従って、筒車のあがき寸法を、太陽電池案内板の反りや厚みのバラツキの影響を受けずに、正確に設定できる。
【００１２】
本発明の電子時計において、前記太陽電池案内板の裏面側に配置され、前記筒車の前記歯車部を収容する凹部を備えた地板を有し、前記突出部は、前記凹部内に位置することが好ましい。
本発明によれば、前記突出部の突出寸法を調整することで、前記筒車のあがきの寸法を、容易に補正することができる。
【００１３】
本発明の電子時計において、前記筒車の軸方向に沿った移動を許容する隙間の寸法を規制する隙間寸法規制部を備え、前記突出部は、前記歯車部が前記文字板に近づく方向への許容された範囲を超えた前記筒車の移動を規制することが好ましい。
【００１４】
本発明によれば、修理の際等の時針の引き抜きによる前記筒車の引き上げ時の力を前記突出部で受けることができる。このため、前記筒車の引き上げ時に、前記筒車が許容された範囲を超えて移動して日車押さえが変形したり日車押さえの保持部が破損したりすることを防止できる。
【００１５】
本発明の電子時計において、前記突出部は、前記筒車を前記太陽電池案内板から遠ざかる方向に付勢する付勢部を有していることが好ましい。
本発明によれば、前記突出部が針座として機能するため、針座を別部品として用意する必要がない。このため、組み立て工数を削減でき、電子時計のコストを低減することができる。
【００１６】
本発明の電子時計において、前記突出部の前記付勢部を含む少なくとも一部は、前記筒車の回転順方向に沿って延出していることが好ましい。
【００１７】
例えば、前記付勢部を含む前記突出部の一部が、前記筒車の回転逆方向に沿って延出している場合には、前記筒車の回転時、前記筒車に押されて前記突出部がしなる。これにより、前記突出部の前記付勢部が前記筒車を押す力が大きくなり、前記筒車の回転抵抗は増大する。
本発明によれば、前記付勢部を含む前記突出部の少なくとも一部は、前記筒車の回転順方向に沿って延出しているため、前記筒車の回転時、前記突出部がしなることを抑制でき、前記筒車の回転抵抗を低減できる。これにより、前記筒車の回転に必要なエネルギーを低減でき、ステップモーターの消費電力を低減できる。
【００１８】
本発明の電子時計において、前記太陽電池案内板には、前記突出部が２つ設けられ、２つの前記突出部の前記付勢部は、前記筒車の回転軸を挟んで対向する位置をそれぞれ付勢していることが好ましい。
【００１９】
本発明によれば、付勢箇所が１つの場合と比べて、前記筒車に力を均等にかけることが可能となる。これにより、前記筒車が傾くことを抑制でき、前記筒車を精度よく回転させることができる。
【図面の簡単な説明】
【００２０】
【図１】第１実施形態に係る電子時計を示す断面図である。
【図２】第１実施形態に係る電子時計の筒車付近の拡大断面図である。
【図３】比較例１の電子時計の筒車付近の拡大断面図である。
【図４】第２実施形態に係る電子時計を示す断面図である。
【図５】第２実施形態に係る電子時計の筒車付近の拡大断面図である。
【図６】比較例２の電子時計の筒車付近の拡大断面図である。
【図７】変形例１の電子時計の筒車付近の拡大断面図である。
【図８】変形例２の電子時計の筒車付近の構成を示す図である。
【図９】変形例３の電子時計の筒車付近の構成を示す図である。
【発明を実施するための形態】
【００２１】
［第１実施形態］
以下、本発明の第１実施形態に係る電子時計を図面に基づいて説明する。
図１は、第１実施形態に係る電子時計１を示す断面図である。図２は、第１実施形態に係る電子時計１の筒車付近の拡大断面図である。
電子時計１は、アナログ式電子時計であり、図１に示すように、文字板２と、文字板２の表面２Ａ上に配置された秒針３、分針４、時針５とを有している。文字板２は、透光性を有している。
なお、以下では、文字板２の表面２Ａから裏面２Ｂに向かう方向（電子時計１の表面から裏蓋側に向かう方向）を下方向とし、逆方向である裏面２Ｂから表面２Ａに向かう方向を上方向として説明を行う。
【００２２】
文字板２の下方（裏面側）には、太陽電池６と、太陽電池６の裏面に接着された太陽電池案内板７とが配置されている。文字板２の裏面２Ｂと、太陽電池６の表面とは所定寸法離れている。太陽電池６は、文字板２を透過して入射した光を吸収し、電力を発生する。太陽電池６には、フィルム状の基材が用いられている。太陽電池案内板７は、ステンレス鋼等の金属を材料とし、太陽電池６を支持している。
【００２３】
太陽電池案内板７の下方には、地板８が配置されている。また、地板８の周囲には、中枠９が配置されている。太陽電池６および太陽電池案内板７は、外周部において地板８と中枠９とに挟持されている。
図２にも示すように、文字板２、太陽電池６、および、太陽電池案内板７には、それぞれ、貫通孔２Ｈ，６Ｈ，７Ｈが設けられている。
【００２４】
さらに、電子時計１には、歯車部１０Ａおよび軸部１０Ｂを備えた筒車１０と、歯車部１１Ａおよび二番かな１１Ｂを備えた二番車１１と、歯車部１２Ａおよび四番かな１２Ｂを備えた四番車１２とが設けられている。
軸部１０Ｂ、二番かな１１Ｂの軸部、四番かな１２Ｂの軸部は、貫通孔２Ｈ，６Ｈ，７Ｈに挿入され、二番かな１１Ｂの軸部は、軸部１０Ｂの内側に配置され、四番かな１２Ｂの軸部は二番かな１１Ｂの軸部の内側に配置されている。
【００２５】
筒車１０の軸部１０Ｂの上端は、文字板２の表面２Ａ側に突出している。そして、軸部１０Ｂの上端には、時針５が取り付けられている。歯車部１０Ａは、地板８に設けられた凹部８Ａ内に収容されている。
図１に戻り、二番かな１１Ｂの軸部の上端は、文字板２の表面２Ａ側に突出し、そこには分針４が取り付けられている。
四番車１２の四番かな１２Ｂの軸部の上端は、文字板２の表面２Ａ側に突出し、そこには秒針３が取り付けられている。また、四番かな１２Ｂの軸部の下端は、地板８の下方に配置された輪列受１３に軸支されている。
【００２６】
さらに、地板８の下方には、制御回路（図示省略）、ステップモーター１４、三番車（図示省略）、五番車１５、および、二次電池１６が配置されている。二次電池１６には、太陽電池６で発電した電力が充電される。また、地板８の上方には、筒車１０の歯車部１０Ａに噛み合う日の裏車（図示省略）が配置されている。
【００２７】
図２に示すように、貫通孔７Ｈの周囲に位置する太陽電池案内板７の周縁部は、屈曲して下方に突出して突出部７１を構成している。突出部７１は、押さえ部７１Ａおよび屈曲部７１Ｂを有して構成され、太陽電池案内板７に、例えば、絞り加工を施すことで形成される。
屈曲部７１Ｂは、太陽電池案内板７を太陽電池６の裏面から離れる方向に屈曲して形成されている。押さえ部７１Ａは、屈曲部７１Ｂに連続して形成され、太陽電池６の裏面から所定距離離間した円環板状に形成されている。
【００２８】
なお、屈曲部７１Ｂの長さや角度、つまり太陽電池６の裏面および押さえ部７１Ａ間の前記所定距離の寸法は、太陽電池６および太陽電池案内板７の反りや厚さの製造ばらつきの平均値や最大値等に基づいて設定される。すなわち、太陽電池６および太陽電池案内板７の反りや厚さの製造ばらつきにより、太陽電池案内板７が地板８から浮く距離を推定し、推定した距離に基づいて、押さえ部７１Ａの突出寸法（太陽電池６の裏面と押さえ部７１Ａの表面との離間距離）を設定している。これにより、太陽電池６や太陽電池案内板７に反りや厚さの製造ばらつきがあっても、前記押さえ部７１Ａが地板８の表面に確実に当接するように設定できる。
【００２９】
ここで、屈曲部７１Ｂは、電子時計１を文字板２の表面２Ａ側から見た平面視で、凹部８Ａの外側に位置する。すなわち、貫通孔７Ｈと同心円状に形成される屈曲部７１Ｂの直径は、凹部８Ａの直径よりも大きくなるように設定されている。このため、屈曲部７１Ｂに連続する押さえ部７１Ａの裏面は、地板８の表面に当接している。従って、突出部７１は、凹部８Ａ内には配置されていない。
また、押さえ部７１Ａの内側の端部は、前記平面視で歯車部１０Ａの表面上に位置し、歯車部１０Ａの表面は、中心領域を除いて押さえ部７１Ａに覆われている。
【００３０】
さらに、歯車部１０Ａの表面と押さえ部７１Ａの裏面との間には、円環状の板材でありかつ湾曲された針座１７が配置されている。針座１７は、歯車部１０Ａの表面と押さえ部７１Ａの裏面とにより挟持され、歯車部１０Ａを下方向に付勢している。
電子時計１の落下による衝撃や、修理の際等の指針の引き抜きによって、筒車１０が上方向へ移動した場合、歯車部１０Ａが押圧することで針座１７が変形し、変形した針座１７が押さえ部７１Ａの裏面に当接することで、筒車１０の上方向へのさらなる移動が規制される。
【００３１】
ここで、太陽電池案内板７に突出部７１が設けられていない比較例１と本実施形態との違いについて説明する。
図３は、比較例１の電子時計の筒車付近の拡大断面図である。比較例１の電子時計では、太陽電池案内板７に突出部７１が設けられていない。その他の構成は、電子時計１と同様である。
比較例１の電子時計では、太陽電池６および太陽電池案内板７に反りや厚さの製造ばらつきが発生していない場合には、太陽電池案内板７は、地板８の表面と同じ高さに位置している。
しかし、太陽電池６および太陽電池案内板７に反りや厚さの製造ばらつきが発生すると、太陽電池６および太陽電池案内板７が外周部において地板８と中枠９とに挟持されているため、図３に示すように、太陽電池６および太陽電池案内板７の中央に近い貫通孔６Ｈ，７Ｈの近傍で、太陽電池６および太陽電池案内板７が地板８の表面から浮いた状態（離れた状態）となる。これにより、歯車部１０Ａの表面と太陽電池案内板７との間隔が広くなる。
【００３２】
一方、電子時計１では、歯車部１０Ａの表面と太陽電池案内板７との間隔は、歯車部１０Ａの表面と押さえ部７１Ａの裏面との間隔で決定される。このため、歯車部１０Ａの表面と太陽電池案内板７との間隔を、突出部７１がない場合と比べて狭くすることができる。
【００３３】
このような本実施形態によれば、次のような効果がある。
（１）本実施形態では、太陽電池案内板７の貫通孔７Ｈの周縁部が下方に突出して突出部７１を構成しているため、突出部７１がない場合と比べて、筒車１０の歯車部１０Ａと太陽電池案内板７との間隔を狭くすることができる。さらに、太陽電池６や太陽電池案内板７の反りや厚さのばらつきを考慮して突出部７１の屈曲部７１Ｂの長さや角度、つまり太陽電池６の裏面および押さえ部７１Ａ間の寸法を設計しているため、筒車１０のあがきの寸法が、例えば、筒車１０と日の裏車との係合量よりも広がることを抑制できる。これにより、筒車１０が上方向に大きく移動して、筒車１０と日の裏車との噛み合いが外れることを防止できる。
【００３４】
（２）突出部７１は、太陽電池案内板７を絞り加工で屈曲して形成できるため、簡単な加工で形成できる。これにより、電子時計１の製造コストを低減できる。
（３）突出部７１の押さえ部７１Ａは、地板８の表面に当接するとともに、端部が歯車部１０Ａの表面上に位置している。これにより、筒車１０の上方向への移動は、歯車部１０Ａの表面と地板８の表面とが同じ平面上となる位置で規制される。このため、筒車１０のあがきの寸法を、凹部８Ａの深さ（段差寸法）および歯車部１０Ａの厚みのみで設定できる。従って、筒車のあがき寸法を、太陽電池６や太陽電池案内板７の反りや厚みのバラツキの影響を受けずに、正確に設定できる。
【００３５】
［第２実施形態］
次に、本発明の第２実施形態に係る電子時計を図面に基づいて説明する。
図４は、第２実施形態に係る電子時計２１を示す断面図である。図５は、第２実施形態に係る電子時計２１の筒車付近の拡大断面図である。
電子時計２１は、日付が表示された日車３６と、曜日が表示された曜板３４とを有したデイデイト機種に関するものであり、文字板２２の下方の駆動機構の構成が、第１実施形態の電子時計１と異なっている。
電子時計２１は、アナログ式電子時計であり、文字板２２と、文字板２２の表面２２Ａ上に配置された秒針２３、分針２４、時針２５とを有している。文字板２２は、透光性を有している。
なお、以下では、文字板２２の表面２２Ａから裏面２２Ｂに向かう方向（電子時計２１の表面から裏蓋側に向かう方向）を下方向とし、逆方向である裏面２２Ｂから表面２２Ａに向かう方向を上方向として説明を行う。
【００３６】
文字板２２の下方には、太陽電池２６と、太陽電池２６の裏面に接着された太陽電池案内板２７とが配置されている。文字板２２の裏面２２Ｂと、太陽電池２６の表面とは所定寸法離れている。太陽電池２６は、文字板２２を透過して入射した光を吸収し、電力を発生する。太陽電池２６には、フィルム状の基材が用いられている。太陽電池案内板２７は、ステンレス鋼等の金属を材料とし、太陽電池２６を支持している。太陽電池案内板２７の下方には、地板２８が配置されている。太陽電池２６および太陽電池案内板２７は、外周部において中枠（図示せず）に支持されている。
図５にも示すように、文字板２２、太陽電池２６、および、太陽電池案内板２７には、それぞれ、貫通孔２２Ｈ，２６Ｈ，２７Ｈが設けられている。
【００３７】
さらに、電子時計２１には、歯車部２９Ａおよび軸部２９Ｂを備えた筒車２９と、歯車部３０Ａおよび二番かな３０Ｂを備えた二番車３０と、歯車部３１Ａおよび四番かな３１Ｂを備えた四番車３１とが設けられている。
軸部２９Ｂ、二番かな３０Ｂの軸部、四番かな３１Ｂの軸部は、貫通孔２２Ｈ，２６Ｈ，２７Ｈに挿入され、二番かな３０Ｂの軸部は、軸部２９Ｂの内側に配置され、四番かな３１Ｂの軸部は二番かな３０Ｂの軸部の内側に配置されている。
【００３８】
筒車２９の軸部２９Ｂの上端は、文字板２２の表面２２Ａ側に突出し、そこには時針２５が取り付けられている。筒車２９の歯車部２９Ａは、太陽電池案内板２７と地板２８との間に位置している。
二番車３０の二番かな３０Ｂの軸部の上端は、文字板２２の表面２２Ａ側に突出し、そこには分針２４が取り付けられている。また、歯車部３０Ａの上方には、二番車３０のあがきを決定する日車押さえ３９が配置されている。
四番車３１の四番かな３１Ｂの軸部の上端は、文字板２２の表面２２Ａ側に突出し、そこには秒針２３が取り付けられている。また、四番かな３１Ｂの軸部の下端は、地板２８の下方に配置された輪列受３２に軸支されている。
【００３９】
筒車２９の歯車部２９Ａの上方には、筒車２９のあがきの寸法を規制する日車押さえ３９が設けられている。なお、筒車２９のあがきの寸法は、カレンダー押さえ、または、筒車押さえによって規制されてもよい。すなわち、日車押さえ３９は、隙間寸法規制部を構成する。
筒車２９の軸部２９Ｂには、曜星車３３が取り付けられている。さらに、曜星車３３には、曜板３４が取り付けられている。曜板３４は、太陽電池案内板２７の下方に位置している。また、軸部２９Ｂには、曜星車３３を押さえる曜車止め座３５が付設されている。
【００４０】
太陽電池案内板２７の下方には、日車３６が配置されている。また、地板２８の下方には、巻真３７が配置されている。さらに、図示を省略しているが、地板２８の下方には、第１実施形態の電子時計１と同様に、制御回路、ステップモーター、三番車、五番車、および、二次電池が配置されている。また、地板２８の上方には、筒車２９の歯車部２９Ａに噛み合う日の裏車が配置されている。
【００４１】
図５に示すように、貫通孔２７Ｈの周囲に位置する太陽電池案内板２７の周縁部は、屈曲して下方に突出して突出部２７１を構成している。突出部２７１は、押さえ部２７１Ａおよび屈曲部２７１Ｂを有して構成され、太陽電池案内板２７に、例えば、絞り加工を施すことで形成される。
屈曲部２７１Ｂは、太陽電池案内板２７を太陽電池２６の裏面から離れる方向に屈曲して形成されている。押さえ部２７１Ａは、屈曲部２７１Ｂに連続して形成され、太陽電池２６の裏面から所定距離離間した円環板状に形成されている。
押さえ部２７１Ａの内側の端部は、電子時計２１を文字板２２の表面２２Ａ側から見た平面視で、曜車止め座３５の表面上に位置し、曜車止め座３５の表面は、中心領域を除いて押さえ部２７１Ａに覆われている。
【００４２】
なお、屈曲部２７１Ｂの長さや角度、つまり太陽電池２６の裏面および押さえ部２７１Ａ間の前記所定距離の寸法は、太陽電池２６および太陽電池案内板２７の反りや厚さの製造ばらつきの平均値や最大値等に基づいて設定される。これにより、太陽電池２６や太陽電池案内板２７に反りや厚さの製造ばらつきがあっても、前記押さえ部２７１Ａと曜車止め座３５との間隔を所定の寸法に設定できる。
【００４３】
さらに、曜車止め座３５の表面と押さえ部２７１Ａの裏面との間には、円環状の板材でありかつ湾曲された針座３８が配置されている。針座３８は、曜車止め座３５の表面と押さえ部２７１Ａの裏面とにより挟持され、曜車止め座３５を介して、筒車２９を下方向に付勢している。
【００４４】
この構成によれば、電子時計２１の修理の際等の時針２５の引き抜きにより筒車２９が引き上げられると、曜車止め座３５を介して押圧することで針座３８が変形し、変形した針座３８が押さえ部２７１Ａの裏面に当接する。このため、筒車２９の引き上げ時の力を、曜車止め座３５を介して押さえ部２７１Ａで受けることができる。これにより、筒車２９の引き上げによる日車押さえ３９の変形や、日車押さえ３９の保持部の破損を防止できる。
すなわち、押さえ部２７１Ａは、許容された範囲を超えた筒車２９の上方向への移動を規制する。
【００４５】
ここで、比較のため、筒車２９の引き上げ時の力を、曜車止め座３５の表面と文字板２２の裏面とに挟持された筒車座で受ける比較例２について説明する。
図６は、比較例２の電子時計の筒車付近の拡大断面図である。
比較例２の電子時計では、太陽電池案内板２７に突出部７１が設けられておらず、替わりに、曜車止め座３５の表面と文字板２２の裏面との間に筒車座４１が配置されている。その他の構成は、電子時計２１と同様である。
筒車座４１は、貫通孔２６Ｈ，２７Ｈ内に位置し、表面が文字板２２の裏面２２Ｂに当接している。さらに、筒車座４１は、曜車止め座３５の表面を覆っている。針座３８は、曜車止め座３５の表面と筒車座４１とにより挟持され、曜車止め座３５を介して、筒車２９を下方向に付勢している。
この構成によれば、筒車２９が引き上げられると、曜車止め座３５を介して押圧することで針座３８が変形し、変形した針座３８が筒車座４１の裏面に当接する。これにより、筒車２９の引き上げ時の力を、曜車止め座３５を介して筒車座４１で受けることができる。
【００４６】
このように、比較例２の構成では、筒車２９の引き上げ時の力を受けるため、新たな部品として筒車座４１が必要となる。
一方、電子時計２１では、図５に示すように、太陽電池案内板２７の一部である突出部２７１によって、筒車２９の引き上げ時の力を受けることができる。
【００４７】
このように、第２実施形態によれば、時針２５の引き抜きに伴う筒車２９の引き上げ時の力を押さえ部２７１Ａで受けることができる。これにより、筒車座等の新たな部品を用いることなく、筒車２９の引き上げ時に、日車押さえ３９の変形や、日車押さえ３９の保持部の破損を防止できる。
【００４８】
なお、本発明は前述の各実施形態に限定されるものではなく、本発明の目的を達成できる範囲での変形、改良等は本発明に含まれるものである。例えば、次の変形例が考えられる。
［変形例１］
第１実施形態の変形例１について説明する。
図７は、変形例１の電子時計の筒車付近の拡大断面図である。
変形例１の電子時計では、突出部７１を構成する押さえ部７１Ａおよび屈曲部７１Ｂが、凹部８Ａ内に位置している。すなわち、突出部７１は、文字板２側から見た平面視で凹部８Ａ内に配置され、かつ、時計の上下方向の高さ位置も凹部８Ａ内つまり前記地板８の表面よりも下方に配置されている。
このため、押さえ部７１Ａの裏面は、地板８の表面には当接せずに、押さえ部７１Ａの全体が凹部８Ａ内に位置し、地板８の表面よりも下方に位置している。その他の構成は、第１実施形態の電子時計１と同様である。
これによれば、押さえ部７１Ａの突出寸法を調整することで、筒車１０のあがきの寸法を、容易に補正することができる。
【００４９】
［変形例２］
第１実施形態の変形例２について説明する。
図８は、変形例２の電子時計の筒車付近の構成を示す図である。図８（Ａ）は、上面図であり、図８（Ｂ）は、断面図である。なお、図８（Ａ）では、太陽電池６の図示を省略している。
変形例２の電子時計では、太陽電池案内板７の形状が、第１実施形態の電子時計１と異なっている。その他の構成は、第１実施形態の電子時計１と同様である。
変形例２では、太陽電池案内板７に、貫通孔７Ｈの周囲に位置する周縁部から延出し、かつ、屈曲して下方向に突出した突出部７２が設けられている。突出部７２の下方向における端部である付勢部７２Ａは、筒車１０の歯車部１０Ａの表面に当接し、歯車部１０Ａを下方向に付勢している。
なお、突出部７２の長さ寸法や屈曲角度は、太陽電池６および太陽電池案内板７の反りや厚さの製造ばらつきの平均値や最大値等に基づいて設計される。これにより、突出部７２の付勢部７２Ａが、歯車部１０Ａの表面を所定の力で付勢するように設定できる。
さらに、突出部７２の付勢部７２Ａを含む一部は、歯車部１０Ａの回転順方向Ｒに沿って延出している。なお、回転順方向Ｒとは、筒車１０の時針５を時計回り方向に回転させる方向である。
【００５０】
突出部７２は、周縁部に連続する基端部から直線状に延長された直線部７２Ｃと、軸部１０Ｂの回転軸を中心とする同心円に沿って円弧状に湾曲された円弧部７２Ｂと、直線状に延長された先端部７２Ｄとを備えている。円弧部７２Ｂは、歯車部１０Ａに向かって下方に傾斜され、先端部７２Ｄは上方に折曲されている。従って、円弧部７２Ｂの下端が付勢部７２Ａとされ、円弧部７２Ｂによって、突出部７２の付勢部７２Ａを含む一部が構成されている。
【００５１】
このように、変形例２では、太陽電池２６や太陽電池案内板２７に反りや厚さの製造ばらつきを考慮して突出部７２の長さ寸法や屈曲角度を設計しているため、突出部７２によって歯車部１０Ａを下方向に所定の力で付勢できる。
すなわち、突出部７２が針座として機能するため、針座を別部品として用意する必要がない。このため、組み立て工数を削減でき、電子時計のコストを低減することができる。
また、例えば、突出部７２の円弧部７２Ｂが、回転逆方向に沿って延出している場合には、歯車部１０Ａの回転時、付勢部７２Ａが押されて突出部７２がしなる。これにより、付勢部７２Ａが歯車部１０Ａの表面を押す力が大きくなり、歯車部１０Ａの回転抵抗は増大する。
一方、変形例２によれば、突出部７２の円弧部７２Ｂは、回転順方向Ｒに沿って延出しているため、歯車部１０Ａの回転時、突出部７２がしなることを抑制でき、歯車部１０Ａの回転抵抗を低減できる。これにより、筒車１０の回転に必要なエネルギーを低減でき、ステップモーターの消費電力を低減できる。
【００５２】
［変形例３］
第１実施形態の変形例３について説明する。
図９は、変形例３の電子時計の筒車付近の構成を示す図である。図９（Ａ）は、上面図であり、図９（Ｂ）は、断面図である。なお、図９（Ａ）では、太陽電池６の図示を省略している。
変形例３の電子時計では、太陽電池案内板７の形状が、第１実施形態の電子時計１と異なっている。その他の構成は、第１実施形態の電子時計１と同様である。
変形例３では、太陽電池案内板７に、貫通孔７Ｈの周囲に位置する周縁部から延出し、かつ、屈曲して下方向に突出した突出部７３，７４が設けられている。突出部７３，７４の下方向における端部である付勢部７３Ａ，７４Ａは、筒車１０の歯車部１０Ａの表面に当接し、歯車部１０Ａを下方向に付勢している。
ここで、突出部７３，７４の付勢部７３Ａ，７４Ａは、筒車１０の回転軸を挟んで対向する位置にそれぞれ当接している。
【００５３】
これによれば、変形例２と同様に、突出部７３，７４が針座として機能するため、針座を別部品として用意する必要がない。このため、組み立て工数を削減でき、電子時計のコストを低減することができる。
また、付勢箇所が１つである変形例２に比べて、歯車部１０Ａの表面に力を均等にかけることが可能となる。これにより、歯車部１０Ａが傾くことを抑制でき、筒車１０を精度よく回転させることができる。
なお、突出部の数は、３つ以上とすることもできる。この場合、各突出部の付勢部は、筒車１０の回転軸を中心とする同心円上で等間隔に配置することが好ましい。
【００５４】
［その他の変形例］
第１実施形態および第２実施形態では、突出部７１，２７１を、太陽電池案内板７，２７に、絞り加工を施すことで形成しているが、これに替えて、太陽電池案内板７，２７に、曲げ加工を施すことで形成することもできる。この場合、貫通孔７Ｈ，２７Ｈの周囲に位置する周縁部に切り込み溝を形成し、周縁部を下方に折り曲げることで突出部を形成すればよい。
【００５５】
また、前記変形例２，３では、突出部７２，７３，７４は、回転順方向Ｒに沿って延出していたが、例えば、突出部７２，７３，７４を歯車部１０Ａの回転中心方向に向かってつまり歯車部１０Ａの直径方向に沿って延出してもよいし、その他の角度で延出してもよい。
【符号の説明】
【００５６】
１…電子時計、２…文字板、２Ａ…表面、２Ｂ…裏面、２Ｈ，６Ｈ，７Ｈ…貫通孔、３…秒針、４…分針、５…時針、６…太陽電池、７…太陽電池案内板、８…地板、８Ａ…凹部、９…中枠、１０…筒車、１０Ａ，１１Ａ，１２Ａ…歯車部、１０Ｂ…軸部、１１…二番車、１１Ｂ…二番かな、１２…四番車、１２Ｂ…四番かな、１３…輪列受、１４…ステップモーター、１５…五番車、１６…二次電池、１７…針座、３９…日車押さえ、７１…突出部、７１Ａ…押さえ部、７１Ｂ…屈曲部。
【図１】
2014119342.tif 000003
【図２】
2014119342.tif 000004
【図３】
2014119342.tif 000005
【図４】
2014119342.tif 000006
【図５】
2014119342.tif 000007
【図６】
2014119342.tif 000008
【図７】
2014119342.tif 000009
【図８】
2014119342.tif 000010
【図９】
2014119342.tif 000011